(57)【要約】【課題】  奥行きのある被写体に対して、輝度差を低減することを可能にした撮像装置を提供すること。【解決手段】  撮像部を有する撮像装置であって、被写体に対して光を照射する照射手段と、前記撮像部を所定の走査タイミングで前記被写体の像を取得する走査手段と、前記照明手段によって照射する光の光量及び期間を制御する制御手段と、を備え前記制御手段は前記走査タイミングに基づいて、前記照明手段によって照射する光の光量及び期間を制御することを特徴とする。【選択図】  図４
2016111575.tif 000002
【特許請求の範囲】
【請求項１】
撮像部を有する撮像装置であって、
被写体に対して光を照射する照射手段と、
前記撮像部を所定の走査タイミングで前記被写体の像を取得する走査手段と、
前記照明手段によって照射する光の光量及び期間を制御する制御手段と、を備え
前記制御手段は前記走査タイミングに基づいて、前記照明手段によって照射する光の光量及び期間を制御することを特徴とする撮像装置。
【請求項２】
前記制御手段は前記走査タイミングに同期して照射する前記照明手段によって照射する光の光量を周期的に変化させることを特徴とする請求項１に記載の撮像装置。
【請求項３】
前記被写体の像において複数の範囲の輝度を測定する測定手段と、
前記測定手段の測定結果に応じて前記照明手段のための照明制御パターンを作成する作成手段と、を更に備え、
前記制御手段は前記照明制御パターンに基づいて、前記照明手段によって照射する光の光量及び期間を制御することを特徴とする請求項１又は２に記載の撮像装置。
【請求項４】
前記被写体までの距離を測定する測距手段と、
前記測距手段の測距結果に応じて前記照明手段のための照明制御パターンを作成する作成手段と、を更に備え、
前記制御手段は前記照明制御パターンに基づいて、前記照明手段によって照射する光の光量及び期間を制御することを特徴とする請求項１又は２に記載の撮像装置。
【請求項５】
前記撮像部が撮像する画角を変更するための変更手段と、
前記画角の設定位置を取得する取得手段と、を更に備え、
前記制御手段は前記取得手段で取得した設定位置に基づいて前記照明手段によって照射する光の光量を制御することを特徴とする請求項１乃至４のいずれか１項に記載の撮像装置。
【請求項６】
前記変更手段は撮像部が撮像する画角をパン方向に変更するパン手段、チルト方向に変更するチルト手段、ズーム方向に変更するズーム手段、ローテーション方向に変更するローテーション手段のうち少なくとも１つ含むことを特徴とする請求項１乃至５のいずれか１項に記載の撮像装置。
【発明の詳細な説明】
【技術分野】
【０００１】
本発明は、撮像装置に関し、例えば照明装置を備えた撮像装置に関する。
【背景技術】
【０００２】
従来、夜間監視などの暗所の撮像などを行う際には、カメラに照明機能を設け、被写体に向けて照射することで鮮明な映像を得る方法が採られている。ここで用いられる照明は、カメラに付随して動作させるため、大きさや消費電力等において大きな制約を受ける。
【０００３】
例えば特許文献１では、照射パターンの異なる発光源を備え、ズームによって変わる画角に応じて最適な照射パターンを得られるよう、それらの強度を個別に制御可能な照明装置の構成が開示されている。また特許文献２では、タクシーなどの車内監視用に車内を部分的に照らすような照射パターンの光源を有し、フレーム周期に同期させて順次点灯し、得られた画像を合成するカメラの構成が開示されている。
【先行技術文献】
【特許文献】
【０００４】
【特許文献１】特開２０１２−１７３７３８号公報
【特許文献２】特開２０１２−５０５４号公報
【発明の概要】
【発明が解決しようとする課題】
【０００５】
しかしながら、奥行きのあるような被写体、例えば廊下のような場所を撮像しようとすると、照明の強度は距離が遠くなればなるほど減少してしまうため、カメラの照明だけでは輝度差のある映像となってしまう場合が有った。
【０００６】
また、前述の特許文献１や２に開示された従来技術を用いても、カメラの向きや配置を変更するとそのたびに最適な照射パターンを決定する必要が有り煩雑であった。そのため、上述の特許文献１や２に開示された従来技術では十分解決できるとは言えなかった。
【０００７】
そこで、本発明の目的は、奥行きのある被写体に対して、輝度差を低減することを可能にした撮像装置を提供することである。
【課題を解決するための手段】
【０００８】
上記目的を達成するために、本発明は、撮像部を有する撮像装置であって、被写体に対して光を照射する照射手段と、前記撮像部を所定の走査タイミングで前記被写体の像を取得する走査手段と、前記照明手段によって照射する光の光量及び期間を制御する制御手段と、を備え前記制御手段は前記走査タイミングに基づいて、前記照明手段によって照射する光の光量及び期間を制御することを特徴とする。
【発明の効果】
【０００９】
本発明によれば、奥行きのある被写体に対して、輝度差を低減することを可能にした撮像装置を提供することができる。
【図面の簡単な説明】
【００１０】
【図１】本発明の実施例に係る撮像装置の一例を示した模式図である。
【図２】本発明の実施例に係る撮像装置の内部構成の一例を示した模式図である。
【図３】奥行きのある被写体を撮像したときのカメラおよび被写体の位置関係を示した模式図である。
【図４】本発明の実施例に係る撮像装置によって得られる照明輝度の変化の一例を示した模式図である。
【図５】本発明の実施例に係る撮像装置によって得られる照明輝度の変化の別の一例を示した模式図である。
【図６】本発明の実施例１に係る撮像装置の動作を説明するためのフローチャートである。
【図７】本発明の実施例２に係る撮像装置の動作を説明するためのフローチャートである。
【図８】本発明の実施例３に係る撮像装置の操作画面の一例を示した模式図である。
【図９】本発明の実施例３に係る撮像装置の動作を説明するためのフローチャートである。
【発明を実施するための形態】
【００１１】
（実施例１）
以下に、本発明の好ましい実施の形態を、添付の図面に基づいて詳細に説明する。
【００１２】
図１は、本発明の実施例に係る撮像装置１０００の一例を示した模式図である。１０１は撮像装置１０００の本体、１０２は照明、１０３はレンズユニット、１０４は取付用冶具である。図１（ａ）は撮像装置を斜め方向から見た図であり、図１（ｂ）は本体１０１を正面および上方向から見た図である。レンズユニット１０３を囲むように、照明１０２がレンズユニット１０３の視野の方向を照射するように配置されている。また本体１０１の電源用および通信用のケーブル（不図示）等は取付用冶具１０４の内部を通って壁や天井などに配線される構造になっている。照明１０２は発光ダイオード（ＬＥＤ）であり、白色光あるいは監視用途として赤外光が主に用いられるが、これに限定されない。例えば、紫外光を用いてもよいし、配光特性の異なる複数のＬＥＤ等を用いてもよい。なお、本実施例の撮像装置１０００は通信用のケーブル等によってネットワークに接続されている。そして、当該ネットワークに接続されているクライアント装置（例えば、パーソナルコンピューター等）と通信を行う。一例として、クライアント装置からの制御信号等の受信や、撮像した映像データの送信動作当を行う。
【００１３】
図２は本体１０１の内部構造を模式的に示した図である。２０１は撮像素子、２０２は制御部、２０３は照明用制御回路である。また、２２１は画像処理回路、２２２は記憶部、２３０はレンズ制御部、２４０は外部Ｉ／Ｆ、２５０はパンチルト制御部である。レンズユニット１０３によって集光された被写体像は撮像素子２０１によって電気信号に変換される。レンズユニット１０３はズーム方向にレンズを移動するズーム機構や絞り機構等備え、これら制御できる構造を含んでいる。レンズユニット１０３に含まれる各機構は、被写体に応じて適切な映像を得られるようにレンズ制御部２３０による制御信号によって制御される。また、レンズ制御部２３０は、後述する制御部２０２からの信号に基づいてレンズユニット１０３を制御するための制御信号を生成する。なお、本実施例では、レンズ制御部２３０と制御部２０２は別の構成としたが、レンズ制御部２３０を制御部２０２に含めるようにしてもよい。
【００１４】
撮像素子２０１は、後述する制御部２０２によって制御され、露光時間や信号の増幅率を可変できる回路を含む。また、本実施例の撮像素子２０１は、水平ラインの露光および読み出しを行ごとに順次行うローリングシャッタ方式で駆動される。例えばＣＭＯＳイメージセンサ等が挙げられる。
【００１５】
画像処理回路２２１は撮像素子２０１から取得した画像データを含む信号に対して現像処理などの適切な画像処理を行う。そして、映像信号として外部へ外部Ｉ／Ｆ２４０から適切なパケット処理をして送信する。なお、外部Ｉ／Ｆから映像信号を送信する先であるネットワークは、例えばＥｔｈｅｒｎｅｔ（登録商標）等の通信規格を満足する複数のルータ、スイッチ、ケーブル等から構成される。本実施例においては、撮像装置１０００との通信を行うことができるものであればその通信規格、規模、構成を問わない。
【００１６】
例えば、ネットワークは、インターネットや有線ＬＡＮ（Ｌｏｃａｌ  ＡｒｅａＮｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）等により構成されてもよい。なお、本実施例におけるネットワークカメラ１００は、例えば、ＰｏＥ（Ｐｏｗｅｒ  Ｏｖｅｒ  Ｅｔｈｅｒｎｅｔ（登録商標））に対応していても良く、ＬＡＮケーブルを介して電力を供給されても良い。
【００１７】
そして、ネットワーク経由で不図示のクライアント装置からネットワーク経由で、撮像装置１０００のための制御指令である制御コマンドを受信することができる。この制御コマンドによって、撮像装置１０００の各種パラメータの設定等を行うことができる。
【００１８】
制御部２０２は全体を制御する中央演算処理回路（以下、ＣＰＵと称することがある）、各種パラメータ等を保持する記憶部２２２等を含む。また、記憶部２２２はＣＰＵ等が実行するプログラム格納領域、プログラム実行中のワーク領域、撮像素子２０１より生成する撮像画像の格納領域、データの格納領域等として使用される。また、記憶部２２２は、撮像装置１０００の撮像方向や、後述するパンチルト制御部２５０を駆動するための制御パラメータ等を保持する。また、制御部２０２は記憶部２２２等に保持されたプログラム等を実行する。
【００１９】
制御部２０２は、ネットワークを介してクライアント装置等より送信されたカメラ制御指令である制御コマンドを受信する。そして受信した制御コマンドに応じて画像処理部１０２や、パンチルト制御部２５０に制御情報を伝達する。
【００２０】
パンチルト制御部２５０は伝達された制御情報に含まれる制御指令や制御パラメータに基づいてそれぞれパン方向にパン駆動または、チルト方向にチルト駆動の制御を行う。また、現在のパンチルト位置を制御部２０２に対して送信する。この動作によって、制御部２０２は現在のパンチルト位置を知ることができる。なお、本実施例ではパンチルト動作に関して示したが、画角を変更する動作であればよい。例えば、画像データの一部を切り出す等によって画角を変更してもよいし、ローテーション方向に画角を変更できるようにしてもよい。
【００２１】
なお、本実施例の撮像素子２０１は画像処理回路２２１に合わせて動作させるために水平駆動信号（ＨＤ）および垂直駆動信号（ＶＤ）によって画像処理回路２２１と同期制御されている。画像処理回路２２１はさらに動体検出機能などのインテリジェンス機能を備えている。
【００２２】
照明用制御回路２０３は照明１０２のＯＮ／ＯＦＦおよび明るさを調整する機能を備えており、映像信号が適した照度となるように制御部路２０２から制御される。明るさの調整は、照明用ライトに流れる電流量を制御する方法や、印加される電圧のＯＮ／ＯＦＦデューティ比を変更する方法がある。また、複数の照明をそれぞれ独立に制御して映像に最適な照明を得るようにしても良い。このとき複数の照明それぞれが異なった照明パターンや配光パターンを有していても良い。
【００２３】
ここで奥行きのある被写体を撮像した時を考える。図３（ａ）は奥行きのある被写体を撮像している時のカメラおよび被写体の位置関係である。そして、被写体３０１が撮像装置１０００から手前側、被写体３０２が奥側に配置されている。撮像装置１０００のレンズユニット１０３によって得られる画角、および照明１０２によって照らされる範囲が３０３で示してある。図３（ｂ）および図３（ｃ）はその時に得られる画像データの一例である。なお、本実施例では、レンズユニット１０３によって得られる画角、および照明１０２によって照らされる範囲を同一としたが、必ずしも同一である必要はない。
【００２４】
監視を目的とした場合、できるだけ広い範囲を撮像する、あるいは障害物に遮られることを減らす目的により、カメラは高所に配置されるのが通常である。その場合に得られる画像データにおいて上側が遠方を、下側が近傍を撮像することになる。また、照明の強度は距離に反比例するため、この場合画像の上側が暗く、下側が明るくなる。このとき、被写体３０１は撮像装置１０００に近いため、照明１０２の光が強く当たり、図３（ｂ）のように被写体映像が白っぽくなり、適切な画像が得られない場合が有る。逆に被写体３０１に露出を合わせると全体的に暗くなるため、図３（ｃ）のように被写体３０２が黒く沈んでしまうことになる。
【００２５】
上述のような被写体において、本実施例の撮像装置１０００の詳細動作に関して示す。本実施例の撮像装置１０００は、画面の上側（遠方部分に相当）に当てる照明を強く、画面の下側（近傍部分に相当）に当てる照明を弱くすることで、撮像される画像データ全体をほぼ均一な明るさにすることができる。また、被写体３０１も白っぽくなることはない。具体的には、図４（ａ）に示すように本実施例の撮像素子２０１はローリングシャッタ方式を採用しているため、画面上部から下部に向かって走査ラインごとに走査タイミングが少しずつずれている。そこで、図４（ａ）及び（ｂ）に示すように各走査ラインの露光タイミング４０１に期間を合わせて照明輝度４０２が周期的に変化するように照明を制御し、それぞれの走査ラインの露光中に照射される照明量を変える。このことで、遠方部分と近傍部分の輝度差を低減し、ほぼ均一な映像を得ることができる。ここで図４（ａ）は撮像素子２０１の映像１フレーム（垂直駆動信号ＶＤの１周期に相当）内での各走査ラインの露光タイミングであり、図４（ｂ）は対応するタイミングにおける照明輝度の変化である。
【００２６】
なお、カメラが設置される向きによっては、画面の上側と下側の距離差が大きかったり逆に小さかったりという場合がある。例えばカメラがより水平に向けられた場合には画面の上側はより遠方を撮像することになる。また、より垂直に向けられた場合には画面の上下で遠近の差があまり出なくなる。それらの場合、つまりチルト角度等に応じた照明の照度制御に関して図５を用いて説明する。なお、図４と同様の内容に関しては、同一の符号を付しており、その説明を省略する。
【００２７】
図５（ｂ）の５０１または５０３は、チルト角度に応じた照度を示している。つまり、４０２よりも画面の上下で照明輝度をより大きく、あるいは小さく変化するように照明を制御することで、遠方部分と近傍部分の輝度差を無くして適切な映像を得ることができる。また、天井から吊り下げて設置する場合など、カメラの上下向きが逆になる場合もあり、そのときは画面の下側が遠方部分を撮像することになる。その場合は図５（ｃ）の５０４のように４０２とは輝度変化が逆になるように照明を制御することで、同様の効果を得ることが出来る。
【００２８】
図６のフローチャートを用いて、本実施例における撮像装置１０００の照明制御動作に関して説明する。なお、本フローチャートの処理は制御部２０２が実施する。
【００２９】
まず、ステップＳ６０１において、制御部２０２は、ユーザ等の指示によって、被写体の撮像を開始する。本実施例においては、照明の点灯を伴う撮像が開始されたとする。なお、本指示はネットワークを介して受信してもよいし、直接入力等を受け付ける操作部を設け、その操作部から行ってもよい。そして、ステップＳ６０２に処理を進める。
【００３０】
ステップＳ６０２において、制御部２０２は、記憶部２２２より、照明を制御するための設定の読み出しをおこなう。照明を制御するための設定は、照明輝度変化パターンを含む。この際に例えば予め設定済みの照明輝度変化パターンを固定値として用いてもよいし、前回使用した照明輝度変化パターンを用いてもよい。なお、本実施例における撮像装置１０００が用いる照明輝度変化パターンは、撮像素子２０１をどうさせるためのＨＤ及びＶＤを単位として照明輝度を変化させる。そして、ステップＳ６０３に処理を進める。
【００３１】
ステップＳ６０３において、制御部２０２は、撮像装置の設置状態を判定する。具体的には、正位置で設置されているか又は逆位置で設置されているかを判定する。本実施例の撮像装置１０００は装置の設置時にユーザが設置状態を設定するように求める。その設定内容を記憶部２２２に記憶させておき、その記憶された設定に基づいて判定を行う。なお、設置時にユーザに設定をさせずに、重力センサ等を用いて撮像装置の設置状態を判定するようにしてもよい。そして、逆位置と判定された場合はステップＳ６０４に処理をすすめ、正位置と判定された場合はステップＳ６０５に処理をすすめる。
【００３２】
ステップＳ６０４において、制御部２０２は、ステップＳ６０２で読み出した照明を制御するための設定に含まれる照明輝度変化パターンを変換する。具体的には、図５（ｃ）で示したように、設置状態に応じた適切なパターンに変換する。そして、ステップＳ６０５に処理を進める。
【００３３】
ステップＳ６０５において、制御部２０２は、撮像装置１０００が撮像しようとしている画角におけるチルト量をパンチルト制御部２５０より読み出す。そして、ステップＳ６０６に処理を進める。なお、本実施例において、チルト量は撮像する画角の設定位置に相当する。
【００３４】
ステップＳ６０６において、制御部２０２は、ステップＳ６０５で読み出したチルト量に基づいて、ステップＳ６０２で読み出した、またはステップＳ６０４で変換した照明を制御するための設定に含まれる照明輝度変化パターンを変換する。具体的には、図５（ｂ）で示したように、チルト量に応じた適切なパターンに変換する。一例として、レンズユニット１０３が水平方向に向いている状態をチルト量がゼロとして、図５（ｂ）で示した５０１のパターンを使用する。そして、所定の量に達するたびに図５（ｂ）で示した４０２から５０３へと変化させる。そして、ステップＳ６０７に処理を進める。
【００３５】
ステップＳ６０７において、制御部２０２は、Ｓ６０６で変換した設定を使用し、照明用制御回路２０３に対して照明制御を開始する。
【００３６】
なお、Ｓ６０５ではパンチルト制御部２５０よりチルト量を読み出したが、定期的に読み出して記憶部２２２に記憶しておき、その記憶したチルト量を使用してもよい。また、ステップＳ６０６では、チルト量に基づいて照明輝度変化パターンの変換を行ったが、チルト量以外にも、パン量やローテーション量等を用いて変換してもよい。
【００３７】
なお、照明輝度の制御では、例えば予め設定済みの照明輝度変化パターンを固定値として用いる方法や、ズーム値とフォーカス値を用いて画面内の領域に対応するピント位置を求め、そこから画面上下の距離を算出して照明の変化量を求める方法がある。このとき照明からの光強度は照明からの距離の２乗に反比例するため、カメラの画面上での位置変化に対しても２乗に反比例するような輝度変化をするように照明を制御するのが望ましい。また距離情報ではなく実際の映像輝度の上下比を算出し、その逆数が照明輝度の上下比になるように照明を変化させても良い。さらにカメラ自体が制御するのではなく、ユーザがカメラ外部から直接あるいはネットワークを通して照明を制御しても良い。このときは画面内での照明輝度の最大値と最小値、およびその方向を指定する方法が考えられる。照明を実際に制御する方法としてＬＥＤを照明に用いる場合、ＬＥＤに流れる電流を制御する方法や、ＬＥＤ点灯にＰＷＭ（パルス幅変調）信号を用いて輝度の大きなときはＯＮ比を大きくし、輝度の小さなときはＯＮ比を小さくする方法がある。なお、各設定は記憶部２２２等に記憶されるようにしてもよい。
【００３８】
（実施例２）
以下、本発明の第２の実施例による撮像装置１０００の動作について、図７の動作フローチャートを用いて説明する。また、実施例１と同様の構成に関しては同一の符号を付しており、その説明を省略する。本発明の第２の実施形態である撮像装置は撮像画面上下の輝度比を求め、それを補正するような照明制御になるように設定することで、画面上下の輝度差を抑えた映像を得ることができる。また、その設定値を初期設定値として記憶部２２２に保存しておくことで、以後は記憶部２２２から設定値を読み出すことで再度設定を行うことなく制御することが出来る。
【００３９】
図７は第２の実施例における撮像装置が照明を制御する際の動作フローチャートである。なお、本フローチャートの処理は制御部２０２が実施する。
【００４０】
まず、ステップＳ７０１において、制御部２０２は、ユーザ等の指示によって、被写体の撮像を開始する。本実施例においては、照明の点灯を伴う撮像が開始されたとする。そして、ステップＳ７０２に処理を進める。
【００４１】
ステップＳ７０２において、制御部２０２は、記憶部２２２に照明輝度変化パターンが設定されているか否か判定する。具体的には、設置直後等の場合で、適切な照明変化パターンが記憶されていない場合に、照明輝度変化パターンを作成すべきかを判定する。本実施例の撮像装置１０００は装置の設置時等にユーザに対して照明輝度変化パターンの設定を行うように求める。そして、記憶されていると判定された場合はステップＳ７０３に処理をすすめ、記憶されていないと判定された場合はステップＳ７０５に処理をすすめる。
【００４２】
ステップＳ７０３において、制御部２０２は、適切な照明変化パターンが記憶されている場合は、記憶部２２２から設定を読み出す。そして、ステップＳ７０４に処理を進める。
【００４３】
ステップＳ７０４において、制御部２０２は、ステップＳ７０３で設定された照明変化パターンを用いて照明用制御回路２０３に対して照明制御を開始する。
【００４４】
一方で、ステップＳ７０５において、制御部２０２は、所定の条件で被写体を撮像し、撮像した画面を上下方向にＮ分割してそれぞれの平均輝度を測定する。Ｎは２以上の整数であり、Ｎ＝１０程度が望ましい。ここで、被写体を撮像する際には、照明１０２を所定の光量で一定に光らせていてもよいし、決められたパターンで光らせていてもよい。そして、ステップＳ７０６に処理を進める。
【００４５】
ステップＳ７０６において、制御部２０２は、ステップＳ７０５で求めた測定結果である平均輝度のうち、上下端の２つの輝度比（上輝度／下輝度）＝Ａを求める。そして、ステップＳ７０７に処理を進める。
【００４６】
ステップＳ７０７において、制御部２０２は、ステップＳ７０６で求めた上下の輝度比を補正するように、（上輝度／下輝度）＝１／Ａとなるように分割領域ごとの照明輝度変化パターンを作成する。そして、ステップＳ７０８に処理を進める。
【００４７】
ステップＳ７０８において、制御部２０２は、ステップＳ７０７で作成した照明輝度変化パターンを用いて、上下間の照明輝度については、２次関数で補間する。これによって、各走査ラインにおける輝度変化を抑える照明の照明制御パターンを実現する。そして、ステップＳ７０９に処理を進める。
【００４８】
ステップＳ７０９において、制御部２０２は、ステップＳ７０８で補間した照明制御パターンを記憶部２２２に記憶する。そして、ステップＳ７０３に処理を戻す。
【００４９】
以上により、設置状態に応じて手前側と奥側の明るさの差を抑えるような照射パターンを実現することを可能にした照明装置を備える撮像装置を提供することが出来る。また、本実施例の動作を所定のパンチルト位置等で実施することで、撮像範囲全体の照明制御パターンを実現することができる。
【００５０】
なお、本実施例においては、画像の輝度を用いて照明制御パターンを実現する方法を例示したが、被写体までの距離を夫々測距し、その測距結果に基づいて照明制御を行うことで画面上下の輝度差を抑えた映像を得ることもできる。一例として、撮像装置１０００はズーム機能、フォーカス機能を持ち、撮像範囲内の任意の場所にある被写体に対してピントを合わせて撮像することが可能である。ある距離に対してピントの合う位置はズーム位置毎に一意に決まるため、ズーム値およびフォーカス値から被写体までの距離を測定することが可能である。そこで画面上下の被写体までの距離をそれぞれ測定し、照明からの距離の２乗に反比例するような照明制御を行うことで画面上下の輝度差を抑えた映像を得ることができる。また、被写体距離をズーム値およびフォーカス値以外から算出してもよい。一例として、位相差型の検出センサを用いてもよいし、プレノプティックカメラ等を用いてもよい。
【００５１】
以上により、手前側と奥側の明るさの差を抑えるような照射パターンを実現することを可能にした照明装置を備える撮像装置を提供することが出来る。
【００５２】
（実施例３）
以下、発明の第３の実施例による撮像装置について図８の操作画面および図９の動作フローチャートを用いて説明する。本発明の第３の実施形態である撮像装置は、設置後に照明の制御パターンをユーザが設定することが出来るよう、操作画面上に照明制御用のＧＵＩを備えている。図８は本発明の第３の実施形態である撮像装置の操作画面である。監視映像の表示画面８０１の脇に照明制御用のスライドバー８０２を備え、ユーザ操作されたスライドバーの位置に応じて予め記憶部に記憶してある照明パターンを５段階で切り換えることができる。なお、本操作画面はネットワーク上にあるクライアント装置のディスプレイ画面等に表示される。
【００５３】
図９は第３の実施例における撮像装置が照明を制御する際の動作フローチャートである。なお、本フローチャートの処理は制御部２０２が実施する。
【００５４】
ステップＳ９０１において、制御部２０２は、ユーザ等によってＵＩ操作の有無を判定する。操作が有った場合は、ステップＳ９０３に処理を進める。また、操作がなかった場合は処理を戻す。
【００５５】
ステップＳ９０３において、制御部２０２は、スライドバーの位置が設定されると、対応する制御パターンを記憶部から読み出す。そして、ステップＳ９０４に処理を進める。
【００５６】
ステップＳ９０４において、制御部２０２は、ステップＳ９０３で設定された照明変化パターンを用いて照明用制御回路２０３に対して照明制御を開始する。
【００５７】
以上により、手前側と奥側の明るさの差を抑えるような照射パターンを実現することを可能にした照明装置を備える撮像装置を提供することが出来る。
【００５８】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５９】
以上、本発明の好ましい実施形態について説明したが、本発明はこれらの実施形態に限定されず、その要旨の範囲内で種々の変形及び変更が可能である。
【符号の説明】
【００６０】
１０１  カメラ本体
１０２  照明用ライト
１０３  レンズユニット
１０４  取付用金具
２０１  撮像素子
２０２  制御部
２０３  照明用制御回路
２２１  映像処理回路
２２２  記憶部
１０００  撮像装置
【図１】
2016111575.tif 000003
【図２】
2016111575.tif 000004
【図３】
2016111575.tif 000005
【図４】
2016111575.tif 000006
【図５】
2016111575.tif 000007
【図６】
2016111575.tif 000008
【図７】
2016111575.tif 000009
【図８】
2016111575.tif 000010
【図９】
2016111575.tif 000011